(57)【要約】  靴下等の着用補助具に関し、下肢の静脈環流障害の疾患者が用いている医療用靴下を、楽に着用することができる着用補助具を提供する。  一対の基柱（２１）が上部にアーチ状の連結材（２５）を備えて一体に形成された基体部（２０）と基体部（２０）の一方の側に設けられる枠体部（３０）と、基体部（２０）の他方の側に設けられる操作部（５０）とを備え、枠体部（３０）は、両基柱（２１）に固定される固定枠（３１）と、基柱（２１）を挿通する回動軸（４５）に羽根体（４６）を設けた一対の回動枠（４１）とからなり、操作部（５０）は、回動軸（４５）を回動するハンドル（５１）と、回動を停止するための固定手段（６０）を備えている。  両回動枠（４１）は、羽根体（４６）を固定枠（３１）の中央部に位置させる閉の状態と、羽根体（４６）を上方に向けて位置させる開の状態との間で回動する。
2016035115.tif 000002
【特許請求の範囲】
【請求項１】
一対の基柱が上部にアーチ状の連結材を備えて一体に形成された基体部と、前記基体部の一方の側に設けられる枠体部と、前記基体部の他方の側に設けられる操作部とを備える靴下等の着用補助具であって、
前記枠体部は、前記両基柱に固定される固定枠と、前記基柱を挿通する回動軸に羽根体を設けた一対の回動枠とからなり、
前記操作部は、前記回動軸を回動するハンドルと、前記回動を停止するための固定手段を備えていることを特徴とする靴下等の着用補助具。
【請求項２】
前記固定枠が、一本の棒材をアーチ状に湾曲して形成されていることを特徴とする請求項１に記載の靴下等の着用補助具。
【請求項３】
前記固定枠が、前記回動軸の先端部を回動可能に軸支する軸受を備えていることを特徴とする請求項１又は２に記載の靴下等の着用補助具。
【請求項４】
前記両回動枠が、前記羽根体を前記固定枠の中央部に位置させる閉の状態と、前記羽根体を上方に向けて位置させる開の状態との間で、前記羽根体を内側に向けて回動することを特徴とする請求項１乃至３の何れか１項に記載の靴下等の着用補助具。
【請求項５】
前記羽根体の設けられる位置が、前記回動軸の略全長の間に留まらず、前記軸受よりも先端側に突出していることを特徴とする請求項１乃至４の何れか１項に記載の靴下等の着用補助具。
【請求項６】
前記羽根体の回動半径が、根元部で大きく、先端部で小さく形成されていることを特徴とする請求項１乃至５の何れか１項に記載の靴下等の着用補助具。
【請求項７】
前記固定手段が、ラチェット及び解除レバーを備えるものであることを特徴とする請求項１乃至６の何れか１項に記載の靴下等の着用補助具。
【発明の詳細な説明】
【技術分野】
【０００１】
本発明は靴下等の着用補助具に関し、特に、下肢の静脈環流障害やリンパ環流障害などの疾患者が用いる医療用靴下を着用するための着用補助具に関する。
【背景技術】
【０００２】
特許文献１には、図９に示すように、高齢者や身体障害者などのために、独りでも楽に靴下を履くことができる靴下等の着用補助具１１０が提案されている。この靴下等の着用補助具１１０は、使用者の手前側から奥に向かって、左右対称の棒状基部１２１を突出させて、その先端に円弧状の拡開部１２３を設けたものである。使用者は、靴下の口部を拡開部１２３に係止させておくことにより、腰を屈めたり、下肢を曲げたりすることなく、自分で靴下を履くことができる。【０００３】
特許文献２には、静脈環流障害やリンパ環流障害により太くなった下肢を改善するために着用する医療用のストッキングが記載されている。すなわち、このストッキングは、下肢を周囲から強く圧迫するものであり、特に、足首に近い方を最も強く圧迫し、大腿部に向かって段階的に圧迫力が弱くなるように設計されている。そして、このストッキングを着用することにより静脈やリンパの還流を促進することができる。
しかし、このようなストッキングは、下肢を強く圧迫するために、非常に強い弾性力を備えて収縮した状態で形成されている。このため、着用するには、強い力で拡開することが必要であり、女性や高齢者には大きな苦痛となっている。【０００４】
特許文献３には、このような医療用のストッキングの着用を補助する着用補助具が記載されている。図１０に示すように、この着用補助具２１０は、次第に直径が変化する筒状の枠体２２１が二分割可能に形成され、大径側の端部には鍔部２２３が形成されている。また、この着用補助具２１０に、ストッキングを装着するために、装着装置が別途用意されており、梃子の原理を応用して小さな力でも装着することができる。【０００５】
ストキングは、着用補助具２１０の小径側の端部から枠体２２１全体を覆うように装着され、大径側の鍔部２２３にストッキングの口部を係止して固定することができる。
使用者は、大径側の端部から足先を挿入して、枠体２２１から少しずつストッキングを外しながら、着用補助具２１０を徐々に脚部に引き上げて、着用することができる。着用した後、着用補助具２１０を、二分割して外すことが記載されている。このようにして、着用に強い力を必要とする医療用のストッキングを、女性や高齢者でも、容易に着用することができる。【０００６】
しかしながら、靴下等を着用するために、着用補助具２１０とともに装着装置を使用しなければならないので、全体として高額の費用が必要となる。また、装着装置の操作は、着用補助具２１０を装着装置にセットし、次に、ストッキングをガイドに装着し、次に、レバーを操作してガイドを拡開し、次に、ストッキングをガイドから着用補助具２１０に移動させるなど、非常に複雑な工程となっている。
【先行技術文献】
【特許文献】
【０００７】
【特許文献１】特開２００４−１０５２９２号公報
【特許文献２】実開平３−８５０２５号公報
【特許文献３】特開２０１１−４８７５号公報
【発明の概要】
【発明が解決しようとする課題】
【０００８】
本発明の目的は、医療用の靴下等を、女性や高齢者でも容易に着用することができる、靴下等の着用補助具を提供することにある。また、他の器具を使用することなく、力の弱い人でも容易に拡開可能であり、簡単な構造で手軽に用いることができる靴下等の着用補助具を提供することにある。
【課題を解決するための手段】
【０００９】
本発明の請求項１に係る靴下等の着用補助具は、一対の基柱が上部にアーチ状の連結材を備えて一体に形成された基体部と、前記基体部の一方の側に設けられる枠体部と、前記基体部の他方の側に設けられる操作部とを備える靴下等の着用補助具であって、前記枠体部は、前記両基柱に固定される固定枠と、前記基柱を挿通する回動軸に羽根体を設けた一対の回動枠とからなり、前記操作部は、前記回動軸を回動するハンドルと、前記回動を停止するための固定手段を備えている手段を採用している。【００１０】
また、本発明の請求項２に係る靴下等の着用補助具は、請求項１に係る靴下等の着用補助具であって、前記固定枠が、一本の棒材をアーチ状に湾曲して形成されている手段を採用している。
また、本発明の請求項３に係る靴下等の着用補助具は、請求項１又は２に係る靴下等の着用補助具であって、前記固定枠が、前記回動軸の先端部を回動可能に軸支する軸受を備えている手段を採用している。【００１１】
また、本発明の請求項４に係る靴下等の着用補助具は、請求項１乃至３の何れか１項に係る靴下等の着用補助具であって、前記両回動枠が、前記羽根体を前記固定枠の中央部に位置させる閉の状態と、前記羽根体を上方に向けて位置させる開の状態との間で、前記羽根体を内側に向けて回動する手段を採用している。
また、本発明の請求項５に係る靴下等の着用補助具は、請求項１乃至４の何れか１項に係る靴下等の着用補助具であって、前記羽根体の設けられる位置が、前記回動軸の略全長の間に留まらず、前記軸受よりも先端側に突出している手段を採用している。【００１２】
また、本発明の請求項６に係る靴下等の着用補助具は、請求項１乃至５の何れか１項に係る靴下等の着用補助具であって、前記羽根体の回動半径が、根元部で大きく、先端部で小さく形成されている手段を採用している。
また、本発明の請求項７に係る靴下等の着用補助具は、請求項１乃至６の何れか１項に係る靴下等の着用補助具であって、前記固定手段が、ラチェット及び解除レバーを備えるものである手段を採用している。
【発明の効果】
【００１３】
本発明の靴下等の着用補助具を使用することにより、医療用の靴下等を、女性や高齢者でも容易に着用することができる。そして、他の器具を必要とすることなく、力の弱い人でも容易に拡開可能であり、簡単な構造で手軽に用いることができる。
【図面の簡単な説明】
【００１４】
【図１】本発明の靴下等の着用補助具を示す斜視図であって、回動枠を閉じた状態を示している。
【図２】本発明の靴下等の着用補助具を示す斜視図であって、回動枠を開いた状態を示している。
【図３】固定枠を示す概略図であって、平面、正面、側面を示している。
【図４】回動枠を示す概略図であって、閉じた状態における平面、正面、側面を示している。
【図５】回動枠を示す概略図であって、開いた状態における平面、正面、側面を示している。
【図６】操作部を示す概略図であって、ハンドル及び回動枠の開閉を示している。
【図７】靴下等を装着した状態を示す概略図であって、閉じた状態から開いた状態への変化を示す。
【図８】開いた状態における着用補助具の概略平面図を示す。
【図９】従来の靴下等の着用補助具の一例を示す概略図である。
【図１０】従来の靴下等の着用補助具の他の一例を示す概略図である。
【発明を実施するための形態】
【００１５】
図１及び図２により、本発明の靴下等の着用補助具１０の概要を説明する。
靴下等の着用補助具１０は、基体部２０と、基体部２０の一方の側に設けられる枠体部３０と、基体部２０の他方の側に設けられる操作部５０とを備えている。基体部２０は、一対の基柱２１が、その上部にアーチ状の連結材２５を備えて一体に形成されている。靴下等を着用する際には、基体部２０を膝に位置させるので、両基柱２１の間は膝が収まる寸法としている。また、靴下等の弾力性によって両基柱２１の間には強い力が働くので、アーチ状の連結材２５には、変形しないように剛性の高い素材を用いる。
【００１６】
枠体部３０は、両基柱２１に固定される固定枠３１と、基柱２１を挿通する回動軸４５に羽根体４６を設けた一対の回動枠４１とからなっている。操作部５０は、回動軸４５を回動するハンドル５１と、回動を停止させるための固定手段６０を備えている。ハンドル５１を操作することによって回動枠４１が回動する。すなわち、回動軸４５を中心として羽根体４６が回動する。
図１は、羽根体４６を固定枠３１の中央部に位置させた「閉の状態」を示し、図２は、羽根体４６を上に向けて位置させた「開の状態」を示している。「閉の状態」は、靴下等を枠体部３０に装着するときの状態であり、「開の状態」は、使用者が靴下等を着用するときの状態である。
【００１７】
図３により、固定枠３１について説明する。
固定枠３１は、一本の棒材をアーチ状に湾曲して形成され、両端部がそれぞれ、基柱２１に固定されている。固定枠３１の形状は、単に平面的に湾曲するだけでも形成することができるが、上下方向の湾曲を加えて複雑に形成されている。
【００１８】
先端の湾曲部３７は、アーチ状であるとともに下に向けて少し湾曲している。これは、着用の際に足を載せて安定した姿勢とするためである。また、足先に着用した後に、踵を滑らせて、湾曲部３７の上を足が通過し易い形状としているためである。
基柱２１の近くも下向きに湾曲されて、湾曲部３８が形成されている。これは、靴下等を装着する際に、靴下等の口部近傍を係止させるためである。
なお、固定枠３１には、回動軸４５の先端部を回動可能に軸支するために、一対の軸受３５が設けられている。
【００１９】
図４及び図５により、回動枠４１について説明する。
一対の回動枠４１は、回動軸４５に羽根体４６を設けて形成されている。図４は、一対の羽根体４６を相互に近接させた「閉の状態」を示し、図５は、両羽根体４６を上に向けた「開の状態」を示している。
【００２０】
回動軸４５は、基柱２１に設けられた図示しない軸孔に挿通され、固定枠３１に沿って位置するとともに、先端部が固定枠３１に設けられた筒状の軸受３５によって回動可能に軸支されている。そして、操作部５０のハンドル５１等を操作することによって回動するようになっている。
【００２１】
羽根体４６は、２本の棒材を用いて形成された主羽根４７及び補助羽根４８からなっている。主羽根４７及び補助羽根４８は、それぞれの両端部が回動軸４５に固定されるとともに、接続部４９において相互に接続されている。そして、羽根体４６は、回動軸４５に対して回動半径の小さい先端部４２と、回動半径の大きい根本部４３とを備えている。補助羽根４８は、主羽根４７とともに根本部４３を構成している。回動半径の小さい先端部４２は、靴下等において弾力性が最も強い足首部を拡開する部分であり、回動半径の大きい根本部４３は、靴下等の直径が最も大きくなる大腿部等を拡開する部分となる。
【００２２】
先端部４２において、主羽根４７は軸受３５よりも先端側に突出して設けられ、固定枠３１と同程度の長さに形成されている。これによって、羽根体４６の設けられる位置が、前記回動軸４５の略全長の間に留まらず、軸受け３５よりも先端側に突出して設けられることになる。先端部４２は、固定枠３１の湾曲部３７とともに、靴下等の足首部を拡開する。
主羽根４７及び補助羽根４８によって形成される根本部４３は、開の状態としたとき、円弧状をなして靴下等の最も太い部分を大きく拡開するようになっている。根本端部４４は、靴下等の口部を係止する部分となる。
【００２３】
図６には、操作部５０を閉の状態で示すとともに、ハンドル５１及び回動枠４１の動きを矢印で示し、開の状態を鎖線で示している。基柱２１を挿通する一対の回動軸４５は、端部にハンドル５１が取り付けられている。ハンドル５１を矢印の方向に回動すると、ハンドル５１及び回動枠４１が鎖線で示す位置まで回動する。すなわち、閉の状態から開の状態とすることができる。
【００２４】
しかし、靴下等を装着した状態では、靴下等の弾性力によって圧迫されるので、開の状態に留めておくことが困難であり、逆転して閉の状態に戻ろうとする。
そこで、逆転を防止して開の状態を保持するための装置が必要であり、固定手段６０を設けている。固定手段６０としては、開の状態を保持することが可能であれば、如何なる装置でも用いることができる。例えば、基柱２１に爪などの係止部を設けて、開の状態でハンドル５１の一部を係止させることができれば、これは固定手段６０となる。
【００２５】
ここでは、固定手段６０としてラチェット機構を使用した場合を示している。ラチェット機構は、機械工学における一般的な機械要素であるから、これについて説明する必要はないであろう。この固定手段６０は、箱体の中につめ車、つめ、スプリング等を組み込ませたものであり、図の矢印の方向には回動させることができるが、短いピッチで逆転を防止することができる。そして、解除レバー６１を操作することによって、元の位置に戻すことができる。ラチェット機構を使用することにより操作が単純になり、左右のハンドル５１を同時に開くことが可能であり、靴下等の着用を楽に行うことができる。
【００２６】
なお、ラチェット機構を備える固定手段６０とは別に、ハンドル５１の可動範囲は適宜ピン等によって制限されていることが好ましい。
また、ハンドル５１は、柄の長さを伸縮可能に形成して、普段はコンパクトに収納した状態とし、使用するときのみ伸ばした状態とすることが好ましい。図６において、破線で示したハンドル５１は伸ばした状態である。
【００２７】
図７は、靴下等の着用補助具１０に、靴下を装着した状態を示している。靴下等の着用補助具１０は、閉の状態（上図）では、枠体部３０が非常にコンパクトになるので、女性や老人でも比較的容易に靴下を装着することができる。靴下の口部に、固定枠３１の湾曲部３７及び回動枠４１の先端部４２を差し込み、基体部２０に接触するまで滑らせると、靴下の上半部が固定枠３１の湾曲部３８によってソフトに係止されるとともに、靴下の口部を根元端部４４に係止することができる。
【００２８】
ハンドル５１を回動して、開の状態（下図）とすることによって、小さな力で、靴下を大きく拡開することができる。このとき、靴下等の着用補助具１０は、図２又は図８に示すような状態であり、靴下の左右は固定枠３１及び回動枠４１によって大きく拡開され、トンネル状の空間が形成されることになる。したがって、使用者は、両手でハンドル５１を握り、容易に下肢を靴下の中に差し入れることができる。
【００２９】
使用者は、靴下が装着された靴下等の着用補助具１０に下肢を差し入れ、固定枠３１の湾曲部３７に足を載せて、靴下を足先部に着用する。次に、湾曲部３７の上を乗り越えるようにして足を突き出し、足全体への着用を行う。図８から理解できるように、下肢の動きに対して制限となるのは、両サイドの部材を除けば、手前の連結材２５と先端の湾曲部３７のみである。そして、両サイド間の距離に対して、連結材２５と湾曲部３７との距離は２倍以上となっているので、容易に下肢を挿入することができる。
【００３０】
足全体への着用は、靴下等の着用補助具１０を下腿から上腿に向けて少しずつ引き上げて行き、引き上げるにしたがって、連結材２５を下肢から遠ざけて行くことになる。着用が終わった時点で、靴下等の着用補助具１０の下側から上側に向けて、大腿部を差し込んだ状態となっている。したがって、靴下等の着用補助具１０から下肢を引き抜くことによって、着用作業が終了することになる。
【産業上の利用可能性】
【００３１】
本発明の靴下等の着用補助具１０は、従来は着用することが難しかった医療用の靴下等を容易に着用することが可能であり、特に女性や老人などのように力の弱い人でも、楽に着用することができる。また、医療用の靴下等に限らず、通常の靴下等を身体障害者などが着用するような場合にも着用が楽になるので、幅広く使用することができる。
【図１】
2016035115.tif 000003
【図２】
2016035115.tif 000004
【図３】
2016035115.tif 000005
【図４】
2016035115.tif 000006
【図５】
2016035115.tif 000007
【図６】
2016035115.tif 000008
【図７】
2016035115.tif 000009
【図８】
2016035115.tif 000010
【図９】
2016035115.tif 000011
【図１０】
2016035115.tif 000012
【国際調査報告】
2016035115.tif 000013
2016035115.tif 000014